(57)【特許請求の範囲】
【請求項１】
内燃機関の出力軸と変速機構の入力軸とを直結する係合状態と、前記内燃機関の出力軸と前記変速機構の入力軸とを解放する解放状態との間でいずれかの状態をとるロックアップクラッチを有し、前記ロックアップクラッチが前記解放状態にあるときに、前記内燃機関から出力された出力トルクを増幅させて前記変速機構に出力するトルクコンバータを備えた車両に搭載され、前記内燃機関の出力トルクを減衰させてから前記内燃機関に対する燃料供給を停止する内燃機関の制御装置において、
前記内燃機関の出力トルクを初期トルクから減衰させる第１減衰期間と、前記内燃機関の運転状態が駆動力を発生する駆動状態から駆動力を受ける被駆動状態に切り替わる期間を含む第２減衰期間と、前記内燃機関の出力トルクを前記内燃機関に対する燃料供給を停止するときのトルクまで減衰させる第３減衰期間とに分けて前記内燃機関の出力トルクを減衰させる出力トルク減衰手段と、
前記第１減衰期間および前記第３減衰期間の長さならびに前記第２減衰期間における前記内燃機関の出力トルクの減衰率を前記ロックアップクラッチの状態に応じて変更する減衰状態変更手段とを備えたことを特徴とする内燃機関の制御装置。
【請求項２】
前記減衰状態変更手段は、前記ロックアップクラッチが前記係合状態にあるときの前記第１減衰期間および前記第３減衰期間の長さを前記解放状態にあるときより長くし、前記ロックアップクラッチが前記係合状態にあるときの前記第２減衰期間における前記内燃機関の出力トルクの減衰率を前記解放状態にあるときより低くすることを特徴とする請求項１に記載の内燃機関の制御装置。
【請求項３】
前記車両の運転状態に応じて前記変速機構に形成される変速段を変更する自動変速モードと、シフト操作に応じて前記変速機構に形成される変速段を変更する手動変速モードとの少なくとも２つのモードで前記変速機構を制御する変速機構制御手段を備え、
前記減衰状態変更手段は、前記変速機構が前記手動変速モードで制御されているときの前記第１減衰期間および前記第３減衰期間の長さを前記変速機構が前記自動変速モードで制御されているときより短くし、前記変速機構が前記手動変速モードで制御されているときの前記第２減衰期間における前記内燃機関の出力トルクの減衰率を前記変速機構が前記自動変速モードで制御されているときより高くすることを特徴とする請求項１または請求項２に記載の内燃機関の制御装置。
【請求項４】
前記出力トルク減衰手段は、前記内燃機関に対する点火タイミングおよび吸入空気量の少なくとも一方を変動させることにより前記内燃機関の出力トルクを減衰させることを特徴とする請求項１ないし請求項３のいずれか１の請求項に記載の内燃機関の制御装置。
【発明の詳細な説明】
【技術分野】
【０００１】
本発明は、内燃機関の制御装置に関する。
【背景技術】
【０００２】
従来、内燃機関として内燃機関を搭載した車両においては、燃費を向上させる目的で、減速時等のように内燃機関の出力トルクを必要としないときに、内燃機関に対する燃料の供給を停止する燃料カットを実行する制御装置を備えたものが知られている。
【０００３】
このような車両において、燃料カットが実行されると、燃料カットの実行前に内燃機関が出力していた出力トルクと、燃料カットの実行後に内燃機関が出力する出力トルクとの差によって、車両にショックが生じてしまう。
【０００４】
このような車両のショックを抑制する内燃機関の制御装置として、所定の減速運転条件の成立時に内燃機関への燃料供給をカットする燃料カット手段と、燃料カット手段による燃料カットの開始を所定時間遅延させる燃料カットディレー手段と、燃料カットの遅延時間中に点火時期を遅角する点火時期遅角手段とを備えたものが知られている（例えば、特許文献１参照）。
【０００５】
この構成により、特許文献１に開示された従来の内燃機関の制御装置は、燃料カットの実行前に点火時期を遅角させていくことによって内燃機関の出力トルクを減衰させることにより、燃料カットの実行前に内燃機関が出力していた出力トルクと、燃料カットの実行後に内燃機関が出力する出力トルクとの差を低減し、車両にショックが発生することを抑制していた。
【先行技術文献】
【特許文献】
【０００６】
【特許文献１】特開平１０−０３０４７７号公報
【発明の概要】
【発明が解決しようとする課題】
【０００７】
しかしながら、特許文献１に記載されたような従来の内燃機関の制御装置は、内燃機関の出力トルクを減衰させる時間および内燃機関の出力トルクを減衰させるときの減衰率について考慮されていなかった。
【０００８】
具体的に説明すると、内燃機関の出力トルクを減衰させてから内燃機関に燃料が供給されなくなったときに、内燃機関と駆動輪との間に介在する動力伝達系の捩れトルクが解放されることにより、動力伝達系に捩れ振動が発生してしまうことがある。
【０００９】
この捩れ振動は、車両が前後方向に振動する所謂しゃくりを発生させてしまい、ドライバビリティを低下させてしまうことがあった。このしゃくりは、内燃機関の出力トルクを動力伝達系の固有周期の自然数倍の時間をかけて減衰させてから、動力伝達系の捩れトルクを解放することによって抑制することができる。
【００１０】
しかしながら、内燃機関の出力トルクの減衰率を高くし過ぎると、車両の走行状態によっては、内燃機関に燃料が供給されなくなったときに、内燃機関の出力トルクの減衰率が急激に変化してしまうことにより車両にショックが生じてしまい、ドライバビリティが低下してしまうことがあった。
【００１１】
また、内燃機関の出力トルクの減衰させていくことによって、内燃機関の運転状態が駆動力を発生する駆動状態から駆動力を受ける被駆動状態に切り替わる。内燃機関の運転状態が駆動状態から被駆動状態に切り替わるときには、動力伝達系の捩れトルクが解放され、動力伝達系に逆方向のトルクがかかるため、車両にショックが生じてしまい、ドライバビリティが低下してしまうことがあった。
【００１２】
また、従来の車両には、ロックアップクダンパが設けられたロックアップクラッチを有するトルクコンバータが実装されているものがある。ロックアップクラッチは、内燃機関の出力軸と変速機構の入力軸とを直結する係合状態と、内燃機関の出力軸と変速機構の入力軸とを解放する解放状態との間でいずれかの状態をとるようになっている。
【００１３】
このため、上述したような車両に生じるショックを低減するために内燃機関の出力トルクを制御したとしても、ロックアップクラッチが係合状態にあるときのロックアップクダンパの捩れの影響が考慮されていないため、内燃機関の運転状態が駆動状態から被駆動状態に切り替わるときのショックが十分に抑制されずに、ドライバビリティが低下してしまうことがあった。
【００１４】
このように、従来の内燃機関の制御装置は、内燃機関の出力トルクを減衰させてから内燃機関の燃料供給を停止することにより、ドライバビリティを低下させてしまうことがあるといった課題があった。
【００１５】
本発明は、このような問題を解決するためになされたもので、内燃機関の出力トルクを減衰させてから内燃機関の燃料供給を停止することによるドライバビリティの低下を抑制することができる内燃機関の制御装置を提供することを目的とする。
【課題を解決するための手段】
【００１６】
本発明の内燃機関の制御装置は、上記目的を達成するため、（１）内燃機関の出力軸と変速機構の入力軸とを直結する係合状態と、前記内燃機関の出力軸と前記変速機構の入力軸とを解放する解放状態との間でいずれかの状態をとるロックアップクラッチを有し、前記ロックアップクラッチが前記解放状態にあるときに、前記内燃機関から出力された出力トルクを増幅させて前記変速機構に出力するトルクコンバータを備えた車両に搭載され、前記内燃機関の出力トルクを減衰させてから前記内燃機関に対する燃料供給を停止する内燃機関の制御装置において、前記内燃機関の出力トルクを初期トルクから減衰させる第１減衰期間と、前記内燃機関の運転状態が駆動力を発生する駆動状態から駆動力を受ける被駆動状態に切り替わる期間を含む第２減衰期間と、前記内燃機関の出力トルクを前記内燃機関に対する燃料供給を停止するときのトルクまで減衰させる第３減衰期間とに分けて前記内燃機関の出力トルクを減衰させる出力トルク減衰手段と、前記第１減衰期間および前記第３減衰期間の長さならびに前記第２減衰期間における前記内燃機関の出力トルクの減衰率を前記ロックアップクラッチの状態に応じて変更する減衰状態変更手段とを備えた構成を有している。
【００１７】
この構成により、本発明の内燃機関の制御装置は、第１減衰期間および第３減衰期間の長さならびに第２減衰期間における内燃機関の出力トルクの減衰率をロックアップクラッチの状態に応じて変更するため、ロックアップクラッチの状態に影響を受けることなく内燃機関の出力トルクを減衰させることができる。従って、本発明の内燃機関の制御装置は、内燃機関の出力トルクを減衰させてから内燃機関の燃料供給を停止することによるドライバビリティの低下を抑制することができる。
【００１８】
また、上記（１）に記載の内燃機関の制御装置において、（２）前記減衰状態変更手段は、前記ロックアップクラッチが前記係合状態にあるときの前記第１減衰期間および前記第３減衰期間の長さを前記解放状態にあるときより長くし、前記ロックアップクラッチが前記係合状態にあるときの前記第２減衰期間における前記内燃機関の出力トルクの減衰率を前記解放状態にあるときより低くするようにしてもよい。
【００１９】
この構成により、本発明の内燃機関の制御装置は、第１減衰期間および第３減衰期間の各期間において、ロックアップクラッチが係合状態にあるときに、解放状態にあるときより長い時間をかけて内燃機関の出力トルクを減衰させ、第２減衰期間において、ロックアップクラッチが係合状態にあるときに、解放状態にあるときより低い減衰率で内燃機関の出力トルクを減衰させるため、ロックアップクラッチが係合状態にあるときのロックアップクダンパの捩れの影響を低減させることができる。
【００２０】
また、上記（１）または（２）に記載の内燃機関の制御装置において、（３）前記車両の運転状態に応じて前記変速機構に形成される変速段を変更する自動変速モードと、シフト操作に応じて前記変速機構に形成される変速段を変更する手動変速モードとの少なくとも２つのモードで前記変速機構を制御する変速機構制御手段を備え、前記減衰状態変更手段は、前記変速機構が前記手動変速モードで制御されているときの前記第１減衰期間および前記第３減衰期間の長さを前記変速機構が前記自動変速モードで制御されているときより短くし、前記変速機構が前記手動変速モードで制御されているときの前記第２減衰期間における前記内燃機関の出力トルクの減衰率を前記変速機構が前記自動変速モードで制御されているときより高くするようにしてもよい。
【００２１】
この構成により、本発明の内燃機関の制御装置は、ドライバーによるシフト操作に応じて変速機構に形成される変速段を変更する手動変速モードにおいては、車両に生じる若干のショックを許容しつつ、ドライバーに素早い減速感を与えることができる。
【００２２】
また、上記（１）ないし（３）のいずれかに記載の内燃機関の制御装置において、（４）前記出力トルク減衰手段は、前記内燃機関に対する点火タイミングおよび吸入空気量の少なくとも一方を変動させることにより前記内燃機関の出力トルクを減衰させるようにしてもよい。
【００２３】
この構成により、本発明の内燃機関の制御装置は、第１減衰期間および第３減衰期間の長さならびに第２減衰期間における内燃機関の出力トルクの減衰率を調整することができる。
【発明の効果】
【００２４】
本発明によれば、内燃機関の出力トルクを減衰させてから内燃機関の燃料供給を停止することによるドライバビリティの低下を抑制することができる内燃機関の制御装置を提供することができる。
【図面の簡単な説明】
【００２５】
【図１】本発明の実施の形態に係る内燃機関の制御装置を搭載した車両の構成を示す機能ブロック図である。
【図２】図１に示すエンジンの概略断面図である。
【図３】図１に示すエンジンの概略斜視図である。
【図４】図１に示す自動変速機の骨子図である。
【図５】図４に示すシフトレバーがとるシフトポジションを説明するための概略図である。
【図６】図１に示すエンジン用電子制御ユニットによる燃料カットを説明するためのグラフである。
【図７】本発明の実施の形態に係る内燃機関の制御装置が参照する時間制御マップを説明するための概略図である。
【図８】本発明の実施の形態に係る内燃機関の制御装置が参照する減衰率制御マップを説明するための概略図である。
【図９】本発明の実施の形態に係る内燃機関の制御装置を構成するエンジン用電子制御ユニットによる出力トルク減衰動作を示すフローチャートである。
【発明を実施するための形態】
【００２６】
以下、本発明の実施の形態について、図面を参照して説明する。なお、以下の説明においては、自動変速機を備えたＦＲ（Front engine Rear drive）車両に本発明に係る内燃機関の制御装置を適用した例を説明する。
【００２７】
図１に示すように、本実施の形態における車両１は、内燃機関を構成するエンジン２と、エンジン２から出力された出力トルクを増幅させるトルクコンバータ３と、トルクコンバータ３の出力軸の回転速度を変速した回転速度で出力軸４を回転させる変速機構５と、変速機構５の出力軸４の回転力をドライブシャフト６Ｌ、６Ｒに伝達するディファレンシャルギア７と、ドライブシャフト６Ｌ、６Ｒが回転させられることにより駆動する駆動輪８Ｌ、８Ｒとを備えている。ここで、トルクコンバータ３および変速機構５は、自動変速機９を構成する。
【００２８】
また、車両１は、エンジン２を制御するエンジン用電子制御ユニット（以下、「ＥＧ−ＥＣＵ」という）１０と、自動変速機９を油圧によって制御する油圧制御回路１１と、油圧制御回路１１を電気的に制御する自動変速機用電子制御ユニット（以下、「ＴＭ−ＥＣＵ」という）１２とを備えている。
【００２９】
図２に示すように、エンジン２は、シリンダブロック２０と、シリンダブロック２０の上部に固定されたシリンダヘッド２１と、オイルを収納するオイルパン２２とを備え、シリンダブロック２０と、シリンダヘッド２１とによって複数の気筒２３が形成されている。
【００３０】
なお、本実施の形態において、エンジン２は、直列４気筒のエンジンによって構成されているものとするが、本発明においては、直列６気筒エンジン、Ｖ型６気筒エンジン、Ｖ型１２気筒エンジンまたは水平対向６気筒エンジン等の種々の型式のエンジンによって構成されていてもよい。なお、図２に示すエンジン２は、直列に配置された４つの気筒のうちの１つの気筒２３が図示されている。
【００３１】
気筒２３には、ピストン２４が往復動可能に収納され、シリンダブロック２０、シリンダヘッド２１およびピストン２４によって、各気筒２３の燃焼室２５が形成されている。本実施の形態において、エンジン２は、ピストン２４が２往復する間に吸気行程、圧縮行程、燃焼行程および排気行程からなる一連の４行程を行う、４サイクルのエンジンによって構成されているものとして説明する。
【００３２】
各気筒２３に収納されたピストン２４は、コネクティングロッド２６を介してクランクシャフト２７に連結されている。コネクティングロッド２６は、ピストン２４の往復動をクランクシャフト２７の回転運動に変換するようになっている。
【００３３】
したがって、エンジン２は、燃焼室２５で燃料と空気との混合気を燃焼させることによりピストン２４を往復動させ、コネクティングロッド２６を介してクランクシャフト２７を回転させることにより、トルクコンバータ３に動力を伝達するようになっている。
【００３４】
なお、エンジン２に用いられる燃料は、ガソリンとするが、ガソリンに代えて、軽油等の炭化水素系の燃料またはエタノール等のアルコールとガソリンとを混合したアルコール燃料であってもよい。
【００３５】
エンジン２には、空気を燃焼室２５に導入するためにシリンダヘッド２１に連結されている吸気管３０が設けられている。吸気管３０には、車外から流入した空気を清浄するエアクリーナ３１と、燃焼室２５に導入される空気の流量すなわち吸入空気量を検出するエアフローセンサ３２と、吸入空気量を調整するためのスロットルバルブ３３とが設けられている。
【００３６】
エアクリーナ３１は、例えば、内部に収容した紙または合成繊維の不織布のフィルターにより、吸入空気中の異物を除去するようになっている。エアフローセンサ３２は、スロットルバルブ３３の上流側に設けられ、吸入空気量を表す検出信号をＥＧ−ＥＣＵ１０に出力するようになっている。
【００３７】
スロットルバルブ３３は、薄い円板状の弁体によって構成され、この弁体の中央にシャフトを備えている。スロットルバルブ３３には、ＥＧ−ＥＣＵ１０の制御に応じてシャフトを回動させることによって弁体を回動させ、スロットルバルブ３３に吸入空気量を調整させるスロットルバルブアクチュエータ３４が設けられている。
【００３８】
また、エンジン２には、燃焼室２５のなかで混合気の燃焼によって発生した排気ガスを車外に排出するためにシリンダヘッド２１に連結されている排気管３５が設けられている。排気管３５には、排気ガス中の有害物質を酸化還元浄化するための触媒３６が設けられている。
【００３９】
触媒３６は、一般に、排気ガスに含まれる未燃炭化水素（ＨＣ）、一酸化炭素（ＣＯ）および窒素酸化物（ＮＯｘ）といった有害物質を効率的に除去することができる三元触媒を備えている。この三元触媒は、好ましくはＮＯｘ含有率の高い排気ガスからでも、ＮＯｘを効率的に除去する機能を有するものが用いられる。
【００４０】
シリンダブロック２０には、冷却水が循環するウォータジャケット３７が形成され、ウォータジャケット３７内を循環する冷却水の水温を検知する水温センサ３８が設けられている。シリンダヘッド２１には、吸気管３０と燃焼室２５とを連通させる吸気ポート４０と、燃焼室２５と排気管３５とを連通させる排気ポート４１とが形成されている。
【００４１】
また、シリンダヘッド２１には、吸気管３０から燃焼室２５への燃焼用空気の導入を制御するための吸気バルブ４２と、燃焼室２５から排気管３５への排気ガスの排出を制御するための排気バルブ４３と、燃焼室２５内に燃料を噴射するためのインジェクタ４４と、燃焼室２５内の混合気に点火するための点火プラグ４５とが設けられている。
【００４２】
インジェクタ４４は、ＥＧ−ＥＣＵ１０によって制御されるソレノイドコイルおよびニードルバルブを有している。インジェクタ４４には、所定の圧力で燃料が供給されている。インジェクタ４４は、ＥＧ−ＥＣＵ１０によってソレノイドコイルが通電されると、ニードルバルブを開いて、燃焼室２５に燃料を噴射するようになっている。
【００４３】
点火プラグ４５は、プラチナやイリジウム合金製の電極を有する公知の点火プラグによって構成されている。点火プラグ４５は、ＥＧ−ＥＣＵ１０によって電極が通電されることにより放電し、燃焼室２５内の混合気に点火するようになっている。
【００４４】
図３に示すように、エンジン２には、シリンダヘッド２１の上部に、吸気カムシャフト５０および排気カムシャフト５１が回転可能に設けられている。吸気カムシャフト５０には、吸気バルブ４２の上端に当接する吸気カム５２が設けられている。吸気カムシャフト５０が回転すると、吸気カム５２が吸気バルブ４２を開閉駆動し、吸気ポート４０と燃焼室２５との間が開閉されるようになっている。
【００４５】
排気カムシャフト５１には、排気バルブ４３の上端に当接する排気カム５３が設けられている。排気カムシャフト５１が回転すると、排気カム５３が排気バルブ４３を開閉駆動し、燃焼室２５と排気ポート４１との間が開閉されるようになっている。
【００４６】
吸気カムシャフト５０の一端部には、吸気カムスプロケット５４と、吸気カムシャフト５０を吸気カムスプロケット５４に対して回転させる吸気側回転位相コントローラ５５とが設けられている。
【００４７】
吸気側回転位相コントローラ５５は、ＥＧ−ＥＣＵ１０によって制御されることにより、吸気カムシャフト５０を吸気カムスプロケット５４に対して進角または遅角側に回転させるようになっている。
【００４８】
排気カムシャフト５１の一端部には、排気カムスプロケット５６と、排気カムシャフト５１を排気カムスプロケット５６に対して回転させる排気側回転位相コントローラ５７とが設けられている。
【００４９】
また、排気側回転位相コントローラ５７は、ＥＧ−ＥＣＵ１０によって制御されることにより、排気カムシャフト５１を排気カムスプロケット５６に対して進角または遅角側に回転させるようになっている。
【００５０】
クランクシャフト２７の一端部には、クランクスプロケット５８が設けられている。吸気カムスプロケット５４と、排気カムスプロケット５６と、クランクスプロケット５８とには、タイミングベルト５９が巻き掛けられている。タイミングベルト５９は、クランクスプロケット５８の回転を吸気カムスプロケット５４および排気カムスプロケット５６に伝達するようになっている。
【００５１】
したがって、タイミングベルト５９によってクランクシャフト２７の回転が吸気カムシャフト５０および排気カムシャフト５１に伝達されることにより、吸気カムシャフト５０および排気カムシャフト５１に駆動される吸気バルブ４２および排気バルブ４３は、クランクシャフト２７に同期して吸気ポート４０および排気ポート４１をそれぞれ開閉するようになっている。吸気カムシャフト５０および排気カムシャフト５１は、クランクシャフト２７が２周する間に１周するようになっている。
【００５２】
クランクシャフト２７には、クランクシャフト２７とともに回転するクランクロータ６０が設けられている。エンジン２は、クランクロータ６０の回転角を検出するためのクランク角センサ６１を備えている。
【００５３】
クランク角センサ６１は、磁気抵抗素子（ＭＲＥ：Magnetic Resistance Element）を有するＭＲＥセンサによって構成されている。クランクシャフト２７が回転すると、クランクロータ６０に設けられた歯の山と谷により、クランク角センサ６１にかかる磁界の方向、すなわち、磁気ベクトルが変化し、内部抵抗値が変化する。
【００５４】
クランク角センサ６１は、この抵抗値の変化を電圧に変換した上で出力される波形と、閾値とを比較することによりＨｉｇｈ状態とＬｏｗ状態とをとる矩形波に整形したクランク角信号を生成し、生成したクランク角信号をＥＧ−ＥＣＵ１０に出力するようになっている。
【００５５】
図４に示すように、トルクコンバータ３は、入力軸７０を介してエンジン２のクランクシャフト２７と連結されるポンプ翼車７１と、変速機構５の入力軸の一部を構成する出力軸７２を介して連結されるタービン翼車７３と、一方向クラッチ７４によって一方向の回転が阻止されているステータ翼車７５とを有している。ここで、ポンプ翼車７１とタービン翼車７３とは、流体を介して動力を伝達するようになっている。
【００５６】
また、トルクコンバータ３は、ポンプ翼車７１とタービン翼車７３との間を直結するためのロックアップクラッチ７６を有している。ロックアップクラッチ７６は、車両１の高速走行時等において、作動油により図示しないフロントカバーを掴み、ロックアップダンパ７７を介して、ポンプ翼車７１とタービン翼車７３とを機械的に直結する係合状態をとるようになっている。
【００５７】
このように、ロックアップクラッチ７６は、係合状態をとることにより、ポンプ翼車７１とタービン翼車７３とを機械的に解放する解放状態と比較して、エンジン２から変速機構５への動力の伝達効率を上げるようになっている。
【００５８】
ポンプ翼車７１には、変速機構５を変速制御するための油圧および各部に潤滑油を供給するための油圧を発生する機械式のオイルポンプ７８が設けられている。
【００５９】
変速機構５は、第１遊星歯車装置７９と、第２遊星歯車装置８０と、第３遊星歯車装置８１とを備えている。第１遊星歯車装置７９のサンギヤＳ１は、クラッチＣ３を介して入力軸に連結可能であるとともに、一方向クラッチＦ２およびブレーキＢ３を介してハウジング８２に連結可能となっている。
【００６０】
第１遊星歯車装置７９のキャリアＣＡ１は、ブレーキＢ１を介してハウジング８２に連結可能となっている。第１遊星歯車装置７９のリングギヤＲ１は、第２遊星歯車装置８０のリングギヤＲ２と連結されており、ブレーキＢ２を介してハウジング８２に連結可能となっている。
【００６１】
第２遊星歯車装置８０のサンギヤＳ２は、第３遊星歯車装置８１のサンギヤＳ３と連結されており、クラッチＣ４を介して入力軸に連結可能となっている。また、サンギヤＳ２は、一方向クラッチＦ４およびクラッチＣ１を介して入力軸に連結可能となっている。
【００６２】
第２遊星歯車装置８０のキャリアＣＡ２は、第３遊星歯車装置８１のリングギヤＲ３と連結されており、クラッチＣ２を介して入力軸に連結可能であるとともに、ブレーキＢ４を介してハウジング８２に連結可能となっている。
【００６３】
また、キャリアＣＡ２は、ブレーキＢ４と並列に設けられた一方向クラッチＦ３により、入力軸の回転方向と反対方向への回転が阻止されるようになっている。また、第３遊星歯車装置８１のキャリアＣＡ３は、出力軸４に連結されている。
【００６４】
クラッチＣ１〜Ｃ４およびブレーキＢ１〜Ｂ４は、多板式のクラッチやブレーキ等のように、油圧アクチュエータによって係合制御される油圧式摩擦係合装置により構成されている。
【００６５】
油圧制御回路１１は、トランスミッションソレノイドＳ１〜Ｓ４およびリニアソレノイドＳＬＴ、ＳＬＵを有している。トランスミッションソレノイドＳ１は、１速から２速への変速時に作動するようになっている。トランスミッションソレノイドＳ２は、２速から３速への変速時および５速から６速への変速時に作動するようになっている。
【００６６】
トランスミッションソレノイドＳ３は、３速から４速への変速時に作動するようになっている。トランスミッションソレノイドＳ４は、４速から５速への変速時に作動するようになっている。
【００６７】
リニアソレノイドＳＬＴは、ライン圧制御および図示しないアキュムレータの背圧制御を行うようになっている。リニアソレノイドＳＬＵは、主にロックアップクラッチ７６の状態を制御するようになっている。
【００６８】
このように、クラッチＣ１〜Ｃ４およびブレーキＢ１〜Ｂ４は、トランスミッションソレノイドＳ１〜Ｓ４およびリニアソレノイドＳＬＴ、ＳＬＵの励磁、非励磁や図示しないマニュアルバルブの作動状態によって切り替えられる油圧回路に応じて、係合状態および解放状態のいずれか一方の状態をとるようになっている。
【００６９】
すなわち、変速機構５は、クラッチＣ１〜Ｃ４およびブレーキＢ１〜Ｂ４の係合状態および解放状態の組み合わせに応じた変速段をとるようになっている。本実施の形態において、変速機構５は、１速〜６速により構成される６つの前進変速段および１つの後進変速段のうちいずれかの変速段を形成するものとする。
【００７０】
図１において、ＥＧ−ＥＣＵ１０は、図示しないＣＰＵ（Central Processing Unit）と、ＲＯＭ（Read Only Memory）と、ＲＡＭ（Random Access Memory）と、フラッシュメモリと、入出力ポートと、を備えたマイクロプロセッサによって構成されている。
【００７１】
ＥＧ−ＥＣＵ１０のＲＯＭには、当該マイクロプロセッサをＥＧ−ＥＣＵ１０として機能させるためのプログラムが記憶されている。すなわち、ＥＧ−ＥＣＵ１０のＣＰＵがＲＡＭを作業領域としてＲＯＭに記憶されたプログラムを実行することにより、当該マイクロプロセッサは、ＥＧ−ＥＣＵ１０として機能する。
【００７２】
本実施の形態において、ＥＧ−ＥＣＵ１０の入力側には、クランク角センサ６１、エアフローセンサ３２、水温センサ３８に加えて、アクセルペダル９０の開度を表すアクセル開度を検出するアクセル開度センサ９１と、車速を検出する車速センサ９２とが接続されている。
【００７３】
アクセル開度センサ９１は、例えば、ホール素子を用いた電子式のポジションセンサにより構成されている。アクセルペダル９０が運転者により操作されると、アクセル開度センサ９１は、アクセルペダル９０の開度を示すアクセル開度を表す信号をＥＧ−ＥＣＵ１０に出力するようになっている。
【００７４】
車速センサ９２は、ドライブシャフト６Ｌ、６Ｒの回転角を検出し、検出したドライブシャフト６Ｌ、６Ｒの回転角を平均化した車速を表す信号をＥＧ−ＥＣＵ１０に出力するようになっている。
【００７５】
ＥＧ−ＥＣＵ１０は、ＴＭ−ＥＣＵ１２等の他のＥＣＵと高速ＣＡＮを介して通信するようになっており、ＴＭ−ＥＣＵ１２等の他のＥＣＵと各種制御信号やデータのやりとりを行うようになっている。
【００７６】
例えば、ＥＧ−ＥＣＵ１０は、エンジン２の運転状態を検出する各種センサから入力される検出信号等に基づいて、インジェクタ４４に対する燃料噴射制御、点火プラグ４５に対する点火制御およびスロットルバルブアクチュエータ３４に対する吸入空気量調節制御等のエンジン２の運転制御を行うとともに、必要に応じてエンジン２の運転状態に関するデータをＴＭ−ＥＣＵ１２に出力するようになっている。
【００７７】
また、ＥＧ−ＥＣＵ１０は、エンジン２の運転状態に応じて吸気バルブ４２および排気バルブ４３の開閉タイミングを調整するために吸気側回転位相コントローラ５５および排気カムスプロケット５６を制御するＶＶＴ（Variable Valve Timing）制御を実行するようになっている。
【００７８】
ＴＭ−ＥＣＵ１２は、図示しないＣＰＵと、ＲＯＭと、ＲＡＭと、フラッシュメモリと、入出力ポートと、を備えたマイクロプロセッサによって構成されている。ＴＭ−ＥＣＵ１２のＲＯＭには、当該マイクロプロセッサをＴＭ−ＥＣＵ１２として機能させるためのプログラムが記憶されている。
【００７９】
すなわち、ＴＭ−ＥＣＵ１２のＣＰＵがＲＡＭを作業領域としてＲＯＭに記憶されたプログラムを実行することにより、当該マイクロプロセッサは、ＴＭ−ＥＣＵ１２として機能する。
【００８０】
本実施の形態において、ＴＭ−ＥＣＵ１２の入力側には、シフトレバー９３によって選択されたシフトポジションを検出するシフトポジションセンサ９４が接続されている。
【００８１】
ＴＭ−ＥＣＵ１２は、ＥＧ−ＥＣＵ１０等の他のＥＣＵと高速ＣＡＮを介して通信するようになっており、ＥＧ−ＥＣＵ１０等の他のＥＣＵと各種制御信号やデータのやりとりを行うようになっている。
【００８２】
例えば、ＴＭ−ＥＣＵ１２は、シフトポジションセンサ９４によって検出されたシフトポジションとＥＧ−ＥＣＵ１０から出力されたエンジン２の運転状態に基づいて、油圧制御回路１１を制御することによって、変速機構５にいずれかの変速段を形成させるとともに、変速機構５に形成させた変速段を表す情報をＥＧ−ＥＣＵ１０に出力するようになっている。
【００８３】
図５に示すように、本実施の形態におけるシフトレバー９３は、駐車時に選択されるＰ（パーキング）ポジション、後進時に選択されるＲ（リバース）ポジション、駆動輪８Ｌ、８Ｒに駆動力を伝達させないときに選択させるＮ（ニュートラル）ポジション、前進時に選択されるＤ（ドライブ）ポジションおよび手動変速時に選択されるＳ（シーケンシャル）ポジションをとる。
【００８４】
ＴＭ−ＥＣＵ１２は、シフトレバー９３がＤポジションにある状態においては、変速機構５の制御モードとして自動変速モードをとり、ＥＧ−ＥＣＵ１０から得られる車速およびアクセル開度等の車両１の運転状態に応じた変速段を変速機構５に形成させるように油圧制御回路１１を制御するようになっている。
【００８５】
また、ＴＭ−ＥＣＵ１２は、シフトレバー９３がＳポジションにある状態においては、変速機構５の制御モードとして手動変速モードをとり、シフト操作によって、シフトレバー９３が＋に移動させられたとき、変速機構５に形成させる変速段を１速分高くするように油圧制御回路１１を制御し、シフトレバー９３が−に移動させられたとき、変速機構５に形成させる変速段を１速分低くするように油圧制御回路１１を制御するようになっている。このように、ＴＭ−ＥＣＵ１２は、本発明における変速機構制御手段を構成する。
【００８６】
また、ＴＭ−ＥＣＵ１２は、ＥＧ−ＥＣＵ１０から得られる車速、アクセル開度および冷却水の水温ならびに変速機構５に形成させている変速段等に応じて、ロックアップクラッチ７６が係合状態と解放状態との間でいずれかの状態をとるよう油圧制御回路１１を制御するようになっている。
【００８７】
以下、本実施の形態におけるＥＧ−ＥＣＵ１０によって実行される燃料カットについて説明する。ＥＧ−ＥＣＵ１０は、エンジン２の出力トルクを減衰させてからエンジン２に対する燃料供給を停止する燃料カットを実行するようになっている。
【００８８】
具体的には、図６に示すように、ＥＧ−ＥＣＵ１０は、時刻ｔ０でアクセル開度センサ９１によってアクセルペダル９０の開度が０、すなわち、アクセルＯＦＦになったことを検出してから、予め定められたディレー区間、例えば、１００ｍｓ〜２００ｍｓ程度経過した時刻ｔ１からエンジン２の出力トルクを減衰させるようになっている。
【００８９】
ＥＧ−ＥＣＵ１０は、エンジン２の出力トルクを初期トルクから減衰させる第１減衰期間Ｔ１と、エンジン２の運転状態が駆動力を発生する駆動状態から駆動力を受ける被駆動状態に切り替わる期間を含む第２減衰期間Ｔ２と、エンジン２の出力トルクをエンジン２に対する燃料供給を停止するときのトルクまで減衰させる第３減衰期間Ｔ３とに分けてエンジン２の出力トルクを減衰させるようになっている。このように、ＥＧ−ＥＣＵ１０は、本発明における出力トルク減衰手段を構成する。
【００９０】
ＥＧ−ＥＣＵ１０のＲＯＭには、図７に示すように、変速機構５の制御モードと、ロックアップクラッチ７６の状態とに対して、第１減衰期間Ｔ１の長さと、第３減衰期間Ｔ３の長さとが対応付けられた時間制御マップが変速機構５に形成された変速段毎に記憶されている。また、ＥＧ−ＥＣＵ１０のＲＯＭには、変速機構５に形成させている変速段毎に、第２減衰期間Ｔ２の長さが一定値Ｌ２として記憶されている。
【００９１】
この時間制御マップにおいて、変速機構５の制御モードが自動変速モードであり、ロックアップクラッチ（図中「Ｌ／Ｕ」と記載する）７６の状態が係合状態にあるときの第１減衰期間Ｔ１の長さＬｃ１と、変速機構５の制御モードが自動変速モードであり、ロックアップクラッチ７６の状態が解放状態にあるときの第１減衰期間Ｔ１の長さＬｆ１と、変速機構５の制御モードが手動変速モードであるときの第１減衰期間Ｔ１の長さＬｍ１との関係は、Ｌｃ１＞Ｌｆ１＞Ｌｍ１を満たす。
【００９２】
ここで、長さＬｃ１、Ｌｆ１およびＬｍ１は、エンジン２と駆動輪８Ｌ、８Ｒとの間に介在する動力伝達系の固有振動周期の自然数倍にそれぞれ定められている。また、動力伝達系の固有振動周期は、変速機構５に形成された変速段毎に予め実験により定められている。
【００９３】
また、変速機構５の制御モードが自動変速モードであり、ロックアップクラッチ７６の状態が係合状態にあるときの第３減衰期間Ｔ３の長さＬｃ３と、変速機構５の制御モードが自動変速モードであり、ロックアップクラッチ７６の状態が解放状態にあるときの第３減衰期間Ｔ３の長さＬｆ３と、変速機構５の制御モードが手動変速モードであるときの第３減衰期間Ｔ３の長さＬｍ３との関係は、Ｌｃ３＞Ｌｆ３＞Ｌｍ３を満たす。ここで、長さＬｃ３、Ｌｆ３およびＬｍ３は、動力伝達系の固有振動周期の自然数倍にそれぞれ定められている。
【００９４】
また、ＥＧ−ＥＣＵ１０のＲＯＭには、図８に示すように、変速機構５の制御モードと、ロックアップクラッチ７６の状態とに対して、第２減衰期間Ｔ２におけるエンジン２の出力トルクの減衰率が対応付けられた減衰率制御マップが変速機構５に形成された変速段毎に記憶されている。
【００９５】
この減衰率制御マップにおいて、変速機構５の制御モードが自動変速モードであり、ロックアップクラッチ７６の状態が係合状態にあるときのエンジン２の出力トルクの減衰率ΔＴＱｃ２と、変速機構５の制御モードが自動変速モードであり、ロックアップクラッチ７６の状態が解放状態にあるときのエンジン２の出力トルクの減衰率ΔＴＱｆ２と、変速機構５の制御モードが手動変速モードであるときのエンジン２の出力トルクの減衰率ΔＴＱｍ２との第２減衰期間Ｔ２における関係は、ΔＴＱｃ２＜ΔＴＱｆ２＜ΔＴＱｍ２を満たす。
【００９６】
図６において、ＥＧ−ＥＣＵ１０は、時刻ｔ１で、エンジン２の出力トルクを推定するようになっている。ＥＧ−ＥＣＵ１０のＲＯＭには、エンジン２の機関回転数と、吸入空気量と、点火タイミングとに対して、エンジン２の出力トルクが予め実験により対応付けられたマップが格納されている。
【００９７】
ＥＧ−ＥＣＵ１０は、クランク角センサ６１から出力された信号から得られるエンジン２の機関回転数と、エアフローセンサ３２から得られる吸入空気量と、点火プラグ４５に対する点火タイミングとに対して、マップに対応付けられたエンジン２の出力トルクを特定することにより、エンジン２の出力トルクを推定するようになっている。
【００９８】
また、ＥＧ−ＥＣＵ１０は、エンジン２の出力トルクを減衰させていくことによって、エンジン２の運転状態が、駆動力を発生する駆動状態から車両１の慣性力等による駆動力を受ける被駆動状態に切り替わるエンジン２の出力トルク（以下、「駆動切替トルクＴＱｅｘ」という）を推定するようになっている。
【００９９】
ここで、ＥＧ−ＥＣＵ１０のＲＯＭには、車速と、変速機構５に形成させた変速段と、エアーコンディショナ、オルタネータおよびオイルポンプ等の補機負荷と、エンジン２の冷却水の水温とに対して、駆動切替トルクＴＱｅｘが予め実験により対応付けられたマップが格納されている。
【０１００】
ＥＧ−ＥＣＵ１０は、車速センサ９２から得られる車両１の車速と、ＴＭ−ＥＣＵ１２から得られる変速機構５に形成させた変速段と、各補機の作動状態に応じた補機負荷と、水温センサ３８から得られる水温とに対して、マップに対応付けられた駆動切替トルクＴＱｅｘを特定することにより、駆動切替トルクＴＱｅｘを推定するようになっている。
【０１０１】
ＥＧ−ＥＣＵ１０は、ＴＭ−ＥＣＵ１２から得られる変速機構５の制御モードとロックアップクラッチ７６の状態とに対して、図８に示した減衰率制御マップに対応付けられた第２減衰期間Ｔ２におけるエンジン２の出力トルクの減衰率ΔＴＱｃ２、ΔＴＱｆ２またはΔＴＱｍ２（以下、総称して「減衰率ΔＴＱ２」という）と、第２減衰期間Ｔ２の長さＬ２とに基づいて、第２減衰期間Ｔ２の開始時のエンジン２の出力トルクと駆動切替トルクＴＱｅｘとの差分ＴＱｍを以下に示す数式によって算出するようになっている。
【０１０２】
ＴＱｍ＝ΔＴＱ２×Ｌ２／２
【０１０３】
ＥＧ−ＥＣＵ１０は、時刻ｔ１から、変速機構５の制御モードとロックアップクラッチ７６の状態とに対して、図７に示した時間制御マップに対応付けられた第１減衰期間Ｔ１の長さＬｃ１、Ｌｆ１またはＬｍ１（以下、総称して「Ｌ１」という）の時間をかけて、トルクＴＱｅｘ＋ＴＱｍを目標トルクとしてエンジン２の出力トルクを減衰させるようになっている。
【０１０４】
本実施の形態において、ＥＧ−ＥＣＵ１０は、図６に示すように、エンジン２に対する点火タイミングを変動させることにより、エンジン２の出力トルクを減衰させるようになっている。
【０１０５】
また、ＥＧ−ＥＣＵ１０は、時刻ｔ１から長さＬ１の時間が経過し、時刻ｔ２になると、変速機構５の制御モードとロックアップクラッチ７６の状態とに対して、図８に示した減衰率制御マップに対応付けられた第２減衰期間Ｔ２におけるエンジン２の出力トルクの減衰率ΔＴＱ２で、第２減衰期間Ｔ２の長さＬ２の時間をかけてエンジン２の出力トルクを減衰させるようになっている。
【０１０６】
また、ＥＧ−ＥＣＵ１０は、時刻ｔ２から長さＬ２の時間が経過し、時刻ｔ３になると、変速機構５の制御モードとロックアップクラッチ７６の状態とに対して、図７に示した時間制御マップに対応付けられた第３減衰期間Ｔ３の長さＬｃ３、Ｌｆ３またはＬｍ３（以下、総称して「Ｌ３」という）の時間をかけて、エンジン２に対する燃料供給を停止するときのエンジン２のトルクＴＱｆｃを目標トルクとしてエンジン２の出力トルクを減衰させるようになっている。また、ＥＧ−ＥＣＵ１０は、時刻ｔ３から長さＬ３の時間が経過し、時刻ｔ４になると、燃料を噴射させないようにインジェクタ４４を制御するようになっている。
【０１０７】
以上に説明したように、ＥＧ−ＥＣＵ１０は、時刻ｔ１から時刻ｔ２までの第１減衰期間Ｔ１において、変速機構５の制御モードとロックアップクラッチ７６の状態とに対して、図７に示した時間制御マップに対応付けられた第１減衰期間Ｔ１の長さＬ１の時間をかけて、エンジン２の出力トルクを減衰させることにより、時刻ｔ２から時刻ｔ３までの第２減衰期間Ｔ２において、ロックアップクラッチ７６の状態に影響を受けることなく、エンジン２の出力トルクの減衰率が大幅に低下したことによって発生するしゃくりやショックを抑制するように構成されている。
【０１０８】
また、ＥＧ−ＥＣＵ１０は、時刻ｔ２から時刻ｔ３までの第２減衰期間Ｔ２において、変速機構５の制御モードとロックアップクラッチ７６の状態とに対して、図８に示した減衰率制御マップに対応付けられた減衰率ΔＴＱ２でエンジン２の出力トルクを減衰させることにより、ロックアップクラッチ７６の状態に影響を受けることなく、エンジン２の運転状態が駆動状態から被駆動状態に切り替わるときに動力伝達系に発生するショックを防止するように構成されている。
【０１０９】
また、ＥＧ−ＥＣＵ１０は、時刻ｔ３から時刻ｔ４までの第３減衰期間Ｔ３において、変速機構５の制御モードとロックアップクラッチ７６の状態とに対して、図７に示した時間制御マップに対応付けられた第３減衰期間Ｔ３の長さＬ３の時間をかけて、エンジン２の出力トルクを減衰させることにより、ロックアップクラッチ７６の状態に影響を受けることなく、時刻ｔ４でインジェクタ４４による燃料の噴射を停止させることによって発生するしゃくりやショックを抑制するように構成されている。以上のように、ＥＧ−ＥＣＵ１０は、本発明における減衰状態変更手段を構成する。
【０１１０】
以上のように構成されたＥＧ−ＥＣＵ１０による出力トルク減衰動作について、図９に示すフローチャートを参照して説明する。なお、図９に示すフローチャートが示す出力トルク減衰動作は、図６に示す時刻ｔ１にスタートする。
【０１１１】
まず、ＥＧ−ＥＣＵ１０は、時間制御マップに基づいて、第１減衰期間Ｔ１および第３減衰期間Ｔ３の各長さＬ１、Ｌ３を特定し（ステップＳ１）、減衰率制御マップに基づいて、第２減衰期間Ｔ２における減衰率ΔＴＱ２を特定する（ステップＳ２）。
【０１１２】
具体的には、ＥＧ−ＥＣＵ１０は、変速機構５の制御モードとロックアップクラッチ７６の状態とに対して、時間制御マップに対応付けられた第１減衰期間Ｔ１の長さＬ１および第３減衰期間Ｔ３の長さＬ３ならびに減衰率制御マップに対応付けられた減衰率ΔＴＱ２を特定する。
【０１１３】
また、ＥＧ−ＥＣＵ１０は、現在のトルクＴＱｃを推定し（ステップＳ３）、駆動切替トルクＴＱｅｘを推定することにより、第１減衰期間Ｔ１における目標トルクＴＱｅｘ＋ＴＱｍを算出する（ステップＳ４）。
【０１１４】
第１減衰期間Ｔ１において、ＥＧ−ＥＣＵ１０は、長さＬ１の時間をかけて、エンジン２の出力トルクを目標トルクＴＱｅｘ＋ＴＱｍまで減衰させる（ステップＳ５）。第２減衰期間Ｔ２において、ＥＧ−ＥＣＵ１０は、長さＬ２の時間をかけて、減衰率ΔＴＱ２でエンジン２の出力トルクを減衰させる（ステップＳ６）。
【０１１５】
第３減衰期間Ｔ３において、ＥＧ−ＥＣＵ１０は、長さＬ３の時間をかけて、エンジン２に対する燃料供給を停止するときのエンジン２の出力トルクＴＱｆｃを目標トルクとしてエンジン２の出力トルクを減衰させる（ステップＳ７）。第３減衰期間Ｔ３が終了すると、ＥＧ−ＥＣＵ１０は、燃料を噴射させないようにインジェクタ４４を制御し、エンジン２に対する燃料供給を停止する（ステップＳ８）。
【０１１６】
以上のように、本発明の実施の形態に係る内燃機関の制御装置は、第１減衰期間Ｔ１および第３減衰期間Ｔ３の長さＬ１、Ｌ３ならびに第２減衰期間Ｔ２におけるエンジン２の出力トルクの減衰率ΔＴＱ２をロックアップクラッチ７６の状態に応じて変更するため、ロックアップクラッチ７６の状態に影響を受けることなくエンジン２の出力トルクを減衰させることができる。
【０１１７】
従って、本発明の実施の形態に係る内燃機関の制御装置は、エンジン２の出力トルクを減衰させてからエンジン２の燃料供給を停止することによるドライバビリティの低下を抑制することができる。
【０１１８】
また、本発明の実施の形態に係る内燃機関の制御装置は、図７および図８にそれぞれ示したマップを実験により最適に設定することにより、車両１にしゃくりやショックを発生さないように、エンジン２の出力トルクを減衰させてからインジェクタ４４による燃料噴射を停止させるまでにかかる時間を従来のものより短縮することができる。
【０１１９】
なお、本実施の形態において、ＥＧ−ＥＣＵ１０は、エンジン２に対する点火タイミングを変動させることにより、エンジン２の出力トルクを減衰させるものとして説明したが、本発明において、ＥＧ−ＥＣＵ１０は、エンジン２に対する吸入空気量および点火タイミングの少なくとも一方を変動させることにより、エンジン２の出力トルクを減衰させるようにしてもよい。
【０１２０】
また、本実施の形態において、自動変速機を備えた車両に本発明に係る内燃機関の制御装置を適用した例を説明したが、本発明に係る内燃機関の制御装置は無段変速機を備えた車両に適用してもよい。
【０１２１】
また、本実施の形態において、ＦＲ車両に本発明に係る内燃機関の制御装置を適用した例を説明したが、本発明に係る内燃機関の制御装置は、ＦＦ（Front engine Front drive）車両に適用してもよく、四輪駆動車両に適用してもよい。
【０１２２】
また、本実施の形態において、本発明に係る内燃機関としてガソリンを燃料とするガソリンエンジンを適用した例について説明したが、本発明に係る内燃機関としてディーゼルエンジンを適用してもよい。
【０１２３】
なお、本発明に係る内燃機関としてディーゼルエンジンを適用した場合には、ＥＧ−ＥＣＵ１０は、エンジン２に対する燃料噴射量を変動させることにより、エンジン２の出力トルクを減衰させるように構成する。
【０１２４】
また、本実施の形態において、ＥＧ−ＥＣＵ１０は、エンジン２の機関回転数と、吸入空気量と、点火プラグ４５に対する点火タイミングとに対して、エンジン２の出力トルクが対応付けられたマップに基づいて、エンジン２の出力トルクを推定するものとして説明した。
【０１２５】
これに対し、本発明におけるＥＧ−ＥＣＵ１０は、エンジン２の機関回転数と、吸入空気量と、点火タイミングとに加えて、排気管３５内の排気ガスの一部を吸気管３０内に還流するＥＧＲ（Exhaust Gas Recirculation）装置におけるＥＧＲ率、水温センサ３８から得られる水温、および、ＶＶＴ制御における位相角の少なくとも１つに対して、エンジン２の出力トルクが対応付けられたマップに基づいて、エンジン２の出力トルクを推定するようにしてもよい。
【０１２６】
また、本実施の形態において、ロックアップクラッチ７６は、係合状態と解放状態との間でいずれかの状態をとるものとして説明したが、具体的には、ポンプ翼車７１とタービン翼車７３とを任意の滑り率で滑らせるフレックスロックアップ状態を含んでいる。
【０１２７】
ここで、ロックアップクラッチ７６がフレックスロックアップ状態にあるときには、ＥＧ−ＥＣＵ１０は、ロックアップクラッチ７６が解放状態にあるものとしてエンジン２の出力トルクを制御する。
【０１２８】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【０１２９】
以上のように、本発明に係る内燃機関の制御装置は、内燃機関の出力トルクを減衰させてから内燃機関の燃料供給を停止することによるドライバビリティの低下を抑制することができるという効果を奏するものであり、内燃機関の出力トルクを減衰させてから前記内燃機関に対する燃料供給を停止する内燃機関の制御装置に有用である。
【符号の説明】
【０１３０】
１  車両
２  エンジン（内燃機関）
３  トルクコンバータ
５  変速機構
８Ｌ、８Ｒ  駆動輪
１０  ＥＧ−ＥＣＵ（出力トルク減衰手段、減衰状態変更手段）
１２  ＴＭ−ＥＣＵ（変速機構制御手段）
７６  ロックアップクラッチ
【図１】
0005783100.tif 000002
【図２】
0005783100.tif 000003
【図３】
0005783100.tif 000004
【図４】
0005783100.tif 000005
【図５】
0005783100.tif 000006
【図６】
0005783100.tif 000007
【図７】
0005783100.tif 000008
【図８】
0005783100.tif 000009
【図９】
0005783100.tif 000010